(57)【要約】 【課題】  相手側コネクタとの嵌合を外すときに、シールリングの位置ずれを防ぐことのできるコネクタを提供することを目的とする。【解決手段】  雌コネクタ１０は、コネクタハウジング１１の端子収容部１１１の外周面上に抜止突部１２０を一体に形成している。抜止突部１２０の後方にはシールリング１５が装着されており、雌雄のコネクタ１０、２０が嵌合するときに、雄コネクタ２０のフード部２１２と雌コネクタ１０の端子収容部１１１との間に介装されて、防水機能を発生する。嵌合した雌雄のコネクタ１０、２０を引き離すと、雄コネクタ２０のフード部２１２によりシールリング１５が前方に引っ張られるが、シールリング１５の前方に位置する抜止突部１２０により、その位置がずれることがない。【選択図】  図１
2005158396.tif 000002
【特許請求の範囲】
【請求項１】
内部にキャビティが形成された端子収容部を有するコネクタハウジングと、
前記端子収容部の外周面に装着されるシールリングを備え、
前記コネクタハウジングの前方から相手側コネクタを嵌合させることにより、前記シールリングの外周部が、前記相手側コネクタのフード部の内周面と当接して防水機能を発生させるコネクタにおいて、
前記シールリングの前方に位置するように、前記端子収容部の外周面に抜止突部が一体に形成され、その前端部には後方に向けて昇り勾配を有した傾斜面が設けられたことを特徴とするコネクタ。
【請求項２】
前記シールリングの前方部に、後方に向けて径が拡大するテーパー部が形成されたことを特徴とする請求項１記載のコネクタ。
【請求項３】
前記抜止突部は、前記端子収容部の外周面上に、互いに非連続的に数個形成されており、前記コネクタハウジングの前記抜止突部のそれぞれの後方に位置する部位には、その成形時に前記シールリングが取り付けられる空間を形成する型を、部分的に後方に型抜きするための型抜孔が形成されていることを特徴とする請求項１または請求項２記載のコネクタ。
【請求項４】
前記シールリングを前記コネクタハウジングに装着した状態で、その前端部の高さが、前記抜止突部の後端部の高さよりも低いことを特徴とする請求項１乃至請求項３のいずれかに記載のコネクタ。
【発明の詳細な説明】
【技術分野】
【０００１】
本発明は、端子収容部の外周面に装着されて、相手側コネクタとの間で防水機能を発生するシールリングを備えたコネクタに関する。
【背景技術】
【０００２】
コネクタハウジングの端子収容部の外周面に装着されたシールリングを備え、相手側コネクタとの嵌合部で防水機能を発生するコネクタがあった（例えば、特許文献１参照）。この従来技術によるコネクタは、嵌合した相手側コネクタを外すときに、そのフード部の内周面によりシールリングが引っ張られて、シールリングがコネクタハウジングの正規の位置からずれることがあった。シールリングがコネクタハウジング上において位置ずれを起こすと、再度、相手側コネクタを嵌合させる場合に、シールリングの位置を修正する必要があり、作業に時間と手間がかかる。これに対し、コネクタハウジングに前方から別体の抜止部材を装着して、シールリングの位置ずれを防いでいるものがあるが、コネクタ全体が大型化するとともに、部品点数も増加してコスト高となる。
【特許文献１】特開平１０−１１２３４６号公報（第２図）
【発明の開示】
【発明が解決しようとする課題】
【０００３】
本発明は上記のような事情に基づいて完成されたものであって、相手側コネクタとの嵌合を外すときに、シールリングの位置ずれを防ぐことのできるコネクタを提供することを目的とする。
【課題を解決するための手段】
【０００４】
上記の目的を達成するための手段として、請求項１の発明は、内部にキャビティが形成された端子収容部を有するコネクタハウジングと、前記端子収容部の外周面に装着されるシールリングを備え、前記コネクタハウジングの前方から相手側コネクタを嵌合させることにより、前記シールリングの外周部が、前記相手側コネクタのフード部の内周面と当接して防水機能を発生させるコネクタにおいて、前記シールリングの前方に位置するように、前記端子収容部の外周面に抜止突部が一体に形成され、その前端部には後方に向けて昇り勾配を有した傾斜面が設けられたことを特徴とするコネクタとした。
【０００５】
請求項２の発明は、前記シールリングの前方部に、後方に向けて径が拡大するテーパー部が形成されたことを特徴とする請求項１記載のコネクタとした。
【０００６】
請求項３の発明は、前記抜止突部は、前記端子収容部の外周面上に、互いに非連続的に数個形成されており、前記コネクタハウジングの前記抜止突部のそれぞれの後方に位置する部位には、その成形時に前記シールリングが取り付けられる空間を形成する型を、部分的に後方に型抜きするための型抜孔が形成されていることを特徴とする請求項１または請求項２記載のコネクタとした。
【０００７】
請求項４の発明は、前記シールリングを前記コネクタハウジングに装着した状態で、その前端部の高さが、前記抜止突部の後端部の高さよりも低いことを特徴とする請求項１乃至請求項３のいずれかに記載のコネクタとした。
【発明の効果】
【０００８】
＜請求項１の発明＞
シールリングの前方に位置するように、端子収容部の外周面に抜止突部が一体に形成されたことにより、相手側コネクタとの嵌合を外すときに、シールリングの位置ずれを防ぐことができる。また、別体の抜止部材をコネクタハウジングに装着する必要がないため、コネクタ全体が大型化することがなく、部品点数の増加を防ぐことができる。更に、その前端部には後方に向けて昇り勾配を有した傾斜面が設けられたことにより、シールリングを端子収容部の外周面に前方から装着するときに、抜止突部を容易に乗越えさせることができる。
【０００９】
＜請求項２の発明＞
シールリングの前方部に、後方に向けて径が拡大するテーパー部が形成されたことにより、相手側コネクタとの嵌合時に、その前方部に相手側コネクタのフード部が衝突しても、シールリングがめくれあがることがなく円滑に嵌合が行われる。
【００１０】
＜請求項３の発明＞
抜止突部は、端子収容部の外周面上に、互いに非連続的に数個形成されており、コネクタハウジングの抜止突部のそれぞれの後方に位置する部位には、その成形時にシールリングが取り付けられる空間を形成する型を、部分的に後方に型抜きするための型抜孔が形成されていることにより、型抜きが簡単で製造の容易なコネクタとすることができる。
【００１１】
＜請求項４の発明＞
シールリングをコネクタハウジングに装着した状態で、その前端部の高さが、抜止突部の後端部の高さよりも低いことにより、相手側コネクタとの嵌合時に、シールリングの前端部に相手側コネクタのフード部が衝突することがなく、シールリングがめくれあがらずに円滑に嵌合が行われる。
【発明を実施するための最良の形態】
【００１２】
本発明の実施形態を図１乃至図７によって説明する。図１、図４、図５、図６および図７において、左方を雌コネクタ１０の前方とし、図６および図７において、右方を雄コネクタ２０の前方とする。雌コネクタ１０は本発明のコネクタに該当し、合成樹脂材料によって形成されたコネクタハウジング１１を備えている。コネクタハウジング１１は、端子収容部１１１とその外周部に形成されたフード部１１２を有している。端子収容部１１１の内部には一対のキャビティ１１３が形成されており、それぞれには、雌端子１３が収容されている。雌端子１３は導電性を有する金属により形成され、その前方に嵌合部１３１を有し、後方に具備された図示しないワイヤバレルにより、電線Ｗの芯線にかしめられて接続されている。また、雌端子１３は、シールバレル１３２によりゴム栓１４にかしめられている。ゴム栓１４は合成ゴム材料によって形成され、キャビティ１１３の後方に位置する端子挿入孔１１４の内周面と当接して、後方からのキャビティ１１３内への水の浸入を防いでいる。
【００１３】
各々のキャビティ１１３の下面には、キャビティ１１３内に突出するようにランス１１５が形成されている。ランス１１５は、キャビティ１１３内に収容された雌端子１３と係合して、雌端子１３の抜け止めの機能を果たしている。キャビティ１１３を取り囲むそれぞれの前壁には、相手側コネクタである雄コネクタ２０の、雄端子２３が挿通される挿通孔１１６が形成されている。また、フード部１１２の上面には、雄コネクタ２０と嵌合して、雌雄のコネクタ１０、２０の抜け止めを行うロック片１１７が形成されており、ロック片１１７の後方には、双方のコネクタを外す場合に、押し下げてロック片１１７を撓ませる解除部１１８が設けられている。更に、フード部１１２の下面には、前後方向に延びて、雄コネクタ２０のガイドリブ２１８と係合するガイド部１１９が形成されている。
【００１４】
端子収容部１１１の外周面には、抜止突部１２０がコネクタハウジング１１と一体に形成されている。図２に示すように、抜止突部１２０は、端子収容部１１１の外周面上に、互いに非連続的に６個設けられており（図２において１個にのみ符号を付す）、後述するように、シールリング１５を端子収容部１１１の外周面に装着することで、シールリング１５の前方に位置する。抜止突部１２０は、それぞれ端子収容部１１１の外周面から突出しており、その前端部には、後方に向けて昇り勾配を有した傾斜面１２１が形成されるとともに、後端部１２２は垂直に切り立っている（図５示）。
【００１５】
フード部１１２の後壁１２３上において、抜止突部１２０のそれぞれの後方に位置する部位には、後壁１２３を前後に貫通する型抜孔１２４が形成されている。型抜孔１２４は、抜止突部１２０の数に対応して、後壁１２３上に６個（図３において２個のみに符号を付す）形成されている。型抜孔１２４は、コネクタハウジング１１を成形するときに、抜止突部１２０と後壁１２３とで前後方向に挟まれた、シールリング１５が取り付けられる空間を形成する型を、部分的に後方に型抜きするために設けられている。
【００１６】
端子収容部１１１の外周面のうち、抜止突部１２０と後壁１２３との間に位置する部位には、合成ゴム材料によって形成されたシールリング１５が装着されている。シールリング１５は円環状をしており、図５に示したように、その前方部に後方に向けて径が拡大するテーパー部１５１が形成されるとともに、その後方に内方および外方に張り出した３個のリップ部１５２が並べられている。シールリング１５は、後述するように、雌雄のコネクタ１０、２０が嵌合するときに、リップ部１５２が半径方向において、雄コネクタ２０のフード部２１２の内周面と、端子収容部１１１の装着部１２５との間に弾発的に介装され、雌雄のコネクタ１０、２０の間においてシール機能を発生する。図５に示したように、装着部１２５に装着された状態において、シールリング１５の前端部１５３の高さは、抜止突部１２０の後端部１２２の高さよりも低く設定されている。
【００１７】
図６に示すように、雄コネクタ２０のコネクタハウジング２１は、合成樹脂材料によって形成され、端子収容部２１１とフード部２１２とを有している。端子収容部２１１の内部には一対のキャビティ２１３が形成されており、それぞれには、雄端子２３が収容されている。雄端子２３は導電性を有する金属により形成され、その前方にタブ部２３１を有し、後方に具備された図示しないワイヤバレルにより、電線Ｗの芯線にかしめられて接続されている。また、雄端子２３は、シールバレル２３２によりゴム栓２４にかしめられている。ゴム栓２４は合成ゴム材料によって形成され、キャビティ２１３の後方に位置する端子挿入孔２１４の内周面と当接して、後方からのキャビティ２１３内への水の浸入を防いでいる。
【００１８】
各々のキャビティ２１３の下面には、キャビティ２１３内に突出するようにランス２１５が形成されている。ランス２１５は、キャビティ２１３内に収容された雄端子２３と係合して、雄端子２３の抜け止めの機能を果たしている。キャビティ２１３を取り囲むそれぞれの前壁には、雄端子２３のタブ部２３１が突出するタブ孔２１６が形成されている。また、フード部２１２の上面には、上述したように、雌コネクタ１０のロック片１１７と係合するロック突部２１７が形成されている。更に、フード部２１２の下面には、前後方向に延びて、雌コネクタ１０のガイド部１１９と係合するガイドリブ２１８が形成されている。また、雄コネクタ２０のコネクタハウジング２１の下面には、雄コネクタ２０を車輌等に固定するための、図示しないブラケットに係合されるブラケット固定部２１９が形成されている。
【００１９】
更に、雄コネクタ２０のコネクタハウジング２１には、端子収容部２１１の外周面を取り囲むように、別体のリテーナ２５が取り付けられている。リテーナ２５は合成樹脂材料によって形成され、雄端子２３をキャビティ２１３に収容した後、端子収容部２１１の外周面に装着されることにより、上述したランス２１５が下方に撓むことを妨げ、雄端子２３のキャビティ２１３からの抜け止めの機能を果たしている。
【００２０】
次に、図６および図７に基づいて、雌雄のコネクタ１０、２０の組付け方法について説明する。まず、シールリング１５に雌コネクタ１０の端子収容部１１１を挿通させていき、装着部１２５にシールリング１５を装着する。このとき、端子収容部１１１に設けられた抜止突部１２０の前端部には、後方に向けて登り勾配を有する傾斜面１２１が形成されているため、シールリング１５は容易に抜止突部１２０を乗越えることができる。次に、電線Ｗおよびゴム栓１４にかしめられた雌端子１３を、端子挿入孔１１４から前方に進入させ、キャビティ１１３内に収容する。キャビティ１１３に進入するとき、雌端子１３はランス１１５を撓ませながら進み、キャビティ１１３内に収容された状態で、形状復帰したランス１１５と係合して抜け止めが行われる。
【００２１】
一方、雄コネクタ２０については、雌コネクタ１０と同様に、電線Ｗおよびゴム栓２４にかしめられた雄端子２３を、キャビティ２１３に収容してランス２１５と係合させた後、コネクタハウジング２１にリテーナ２５を前方より装着して、雄端子２３の抜け止めを行う。
【００２２】
その次に、ガイドリブ２１８をガイド部１１９に係合させながら、雄コネクタ２０を雌コネクタ１０の前方から嵌合させていく。双方のコネクタ１０、２０の嵌合が進行すると、雄コネクタ２０のリテーナ２５の内周面が、雌コネクタ１０の端子収容部１１１の外周面に嵌合し、雄コネクタ２０のタブ孔２１６から突出した雄端子２３のタブ部２３１が、雌端子１３の嵌合部１３１と係合して互いに電気的に結合する。それとともに、雄コネクタ２０のフード部２１２の内周面が、雌コネクタ１０のコネクタハウジング１１に装着されたシールリング１５の外周部と当接して、シールリング１５が双方のコネクタ１０、２０の嵌合部位において、防水機能を発生する。その後、雄コネクタ２０のロック突部２１７が、雌コネクタ１０のロック片１１７に係合することにより、双方のコネクタ１０、２０は互いに抜け止めが行われ、嵌合が完了する。
【００２３】
この、雌雄のコネクタ１０、２０が互いに嵌合した状態において、双方のコネクタ１０、２０の係合を解除するために、雌コネクタ１０の解除部１１８を押し下げながら、雄コネクタ２０を雌コネクタ１０から引き離すと、雄コネクタ２０のフード部２１２により、シールリング１５がその外周部から、図７において左方に引っ張られるが、シールリング１５の前方に位置する抜止突部１２０により、その位置ずれが防止される。
【００２４】
本実施形態によれば、別体の抜止部材をコネクタハウジング１１に装着する必要がないため、コネクタ全体が大型化することがなく、部品点数の増加を防ぐことができる。また、シールリング１５の前方部に、後方に向けて径が拡大するテーパー部１５１が形成されたことにより、雄コネクタ２０との嵌合時に、その前方部に雄コネクタ２０のフード部２１２が衝突しても、抵抗が発生することがなく、シールリング１５がめくれあがることがなく円滑に嵌合が行われる。また、抜止突部１２０は、端子収容部１１１の外周面上に、互いに非連続的に６個形成されていることにより、コネクタハウジング１１の成形時に、抜止突部１２０と後壁１２３とで前後方向に挟まれた、シールリング１５が取り付けられる空間を形成する型を、部分的に後方に型抜きすることができ、型抜きが簡単で製造の容易なコネクタとすることができる。
【００２５】
また、抜止突部１２０の前端部に、後方に向けて昇り勾配を有した傾斜面１２１が形成されていることにより、シールリング１５を前方より端子収容部１１１の外周面に装着するときに、抜止突部１２０を容易に乗越えさせることができ、装着作業性が向上する。更に、シールリング１５をコネクタハウジング１１に装着した状態で、その前端部１５３の高さが、端子収容部１１１の外周面上に６個形成された抜止突部１２０の、後端部１２２の高さよりも低いことにより、雄コネクタ２０との嵌合時に、シールリング１５の前端部１５３が抜止突部１２０に隠れるため、雄コネクタ２０のフード部２１２が衝突することがなく、シールリング１５がめくれあがらずに円滑に嵌合が行われる。
【００２６】
＜他の実施形態＞
本発明は上述の記載および図面によって説明した実施形態に限定されるものではなく、例えば次のような実施形態も本発明の技術的範囲に含まれ、さらに、以下のもの以外にも要旨を逸脱しない範囲内で種々変更して実施することができる。
（１）本発明によるシールリングは、雄コネクタに使用してもよい。
（２）抜止突部は、端子収容部の外周面に適宜の数だけ形成すればよい。
【図面の簡単な説明】
【００２７】
【図１】本実施形態による雌コネクタの断面図である。
【図２】図１に示した雌コネクタの雌端子を取り外したところを示す正面図である。
【図３】図１に示した雌コネクタの雌端子を取り外したところを示す背面図である。
【図４】図１に示した雌コネクタの平面図である。
【図５】図１示した雌コネクタの部分拡大図である。
【図６】本実施形態による雌コネクタおよび雄コネクタの断面図である。
【図７】図６に示した雌雄のコネクタを嵌合させたところを示す断面図である。
【符号の説明】
【００２８】
１０…雌コネクタ
１１、２１…コネクタハウジング
１５…シールリング
２０…雄コネクタ
１１１、２１１…端子収容部
１１２、２１２…フード部
１１３、２１３…キャビティ
１２０…抜止突部
１２１…傾斜面
１２２…抜止突部の後端部
１２４…型抜孔
１５１…テーパー部
１５３…シールリングの前端部
【図１】
2005158396.tif 000003
【図２】
2005158396.tif 000004
【図３】
2005158396.tif 000005
【図４】
2005158396.tif 000006
【図５】
2005158396.tif 000007
【図６】
2005158396.tif 000008
【図７】
2005158396.tif 000009